(57)【要約】【課題】バックライトによる消費電力をできるだけ抑える。【解決手段】制御回路は、筐体が閉じたと判定した後にメール動作中であると判定すると（Ｓ１、Ｓ２ステップ）、表示部のバックライトの一部のみ点灯させ（Ｓ４ステップ）、メール終了の指示操作があると判定すると（Ｓ５ステップ）、メール動作を終了させると共にバックライトを消灯させる（Ｓ６、Ｓ７ステップ）、一方、メール終了の指示操作がない状態で筐体が開いたと判定すると（Ｓ８ステップ）、表示部のバックライトを全灯するように制御する（Ｓ９ステップ）。【選択図】        図４
2004312631.tif 000002
【特許請求の範囲】
【請求項１】
第１の筐体と、第２の筐体と、前記両筐体を開閉可能に軸支するヒンジとを有し、前記両筐体を開放したときに露出し、バックライトを有するメイン表示領域と、前記両筐体を閉結したときも露出し、バックライトを有するサブ表示領域を備えた折畳式携帯電話装置において、
前記両筐体の開閉を検出する開閉検出部と、
前記両筐体が閉結した際に待機中であると判定すると、前記サブ表示領域及び前記メイン表示領域のバックライトを消灯させ、一方、前記両筐体が閉結した際に待機中でないと判定すると、前記サブ表示領域のバックライトは点灯すると共に前記メイン表示領域のバックライトは消灯させる制御部とを有することを特徴とする折畳式携帯電話装置。
【請求項２】
第１の筐体と、第２の筐体と、前記両筐体を開閉可能に軸支するヒンジとを有し、前記両筐体を開放したときに露出し、バックライトを有するメイン表示領域と、前記両筐体を閉結したときも露出し、バックライトを有するサブ表示領域を備えた折畳式携帯電話装置において、
前記両筐体の開閉を検出する開閉検出部と、
前記両筐体が閉結した際にメール動作中であると判定すると、前記サブ表示領域のバックライトを点灯させると共に前記メイン表示領域のバックライトを消灯させ、一方、前記両筐体が閉結した際にメール動作中ではないと判定すると、前記サブ表示領域及び前記メイン表示領域のバックライトを消灯させる制御部とを有することを特徴とする折畳式携帯電話装置。
【請求項３】
請求項２記載の折畳式携帯電話装置であって、
前記制御部は、前記両筐体が閉結した後にメール動作の終了指示があると判定すると、前記サブ表示領域のバックライトを消灯させることを特徴とする折畳式携帯電話装置。
【請求項４】
第１の筐体と、第２の筐体と、前記両筐体を開閉可能に軸支するヒンジとを有し、前記両筐体を開放したときに露出し、バックライトを有するメイン表示領域と、前記両筐体を閉結したときも露出し、バックライトを有するサブ表示領域を備えた折畳式携帯電話装置において、
前記両筐体の開閉を検出する開閉検出部と、
前記両筐体が閉結した際に電話帳機能動作中であると判定すると、前記サブ表示領域のバックライトを点灯させると共に前記メイン表示領域のバックライトを消灯させ、一方、前記両筐体が閉結した際に電話帳機能動作中ではないと判定すると、前記サブ表示領域及び前記メイン表示領域のバックライトを消灯させることを特徴とする折畳式携帯電話装置。
【請求項５】
請求項４記載の折畳式携帯電話装置であって、
前記制御部は、前記両筐体が閉結した後に電話帳機能の終了指示があると判定すると、前記サブ表示領域のバックライトを消灯させることを特徴とする折畳式携帯電話装置。
【請求項６】
請求項１〜５記載の折畳式携帯電話装置であって、
前記サブ表示領域は前記メイン表示領域の一部であることを特徴とする折畳式携帯電話装置。
【請求項７】
請求項１〜６記載の折畳式携帯電話装置であって、
筐体を閉結したときに、筐体の開放時の動作を前記サブ表示領域に継続表示することを特徴とする折畳式携帯電話装置。
【発明の詳細な説明】
【０００１】
【発明の属する技術分野】
本発明は、閉じた時も選択画面を継続して表示する折畳式携帯電話装置に関する。
【０００２】
【従来の技術】
近年の折畳式携帯電話でメールを送信する際には、送信するメールの宛先、件名、本文等を入力した後にユーザが送信操作を行うことにより、メールが送信される。
【０００３】
又、ユーザが送信操作を行うと、表示部には、メールの送信中であることを示すメッセージ（例えば、「メールの送信中です。」）が表示され、電波状況によってはメールの送信に１０秒以上かかることやメールが送信できない場合がある。メールが送信できなかった場合には、表示部に例えば、「送信できませんでした。」と表示され、メールが送信できなかったことをユーザに報知し、メールが正常に送信できた場合には、表示部に例えば、「メールを送信しました。」と表示され、メールが送信できたことをユーザに報知する。
【０００４】
ユーザがメール送信後直ちに電話操作に関係しない次の動作に移りたい場合（例えば、駅で切符を購入する場合や、車の運転を開始する場合）には、メール送信操作後、メールが送信できたことを示すメッセージが表示部に表示されたことを見ることにより、メールの送信が完了したことを確認するまで、ユーザは筐体を開いた状態を維持しなければならない。
【０００５】
又、機種によってはメール送信操作後筐体を閉じてもメールの送信動作を維持するものがあるが、筐体を閉じた状態ではユーザは表示部を見ることができず、メールが正常に送信できたか否か知ることができない。
【０００６】
一方、閉じた時に表示領域の一部を見ることができ、更に、筐体を閉じた状態ではバックライトの一部のみ点灯させ、筐体を開いた状態ではバックライトを全て点灯させる折畳式携帯電話装置が考えられた（例えば、特許文献１参照。）。これにより、表示領域が狭くなるが、閉じた状態でも継続画面を見ることができる。
【０００７】
【特許文献１】
特許第３２０８２９４号公報（図１）
【０００８】
【発明が解決しようとする課題】
しかし、特許文献１記載の技術では、筐体を閉じた状態でも常にバックライトの一部を点灯する構成であるために、多くの電力を消費するという問題がある。
【０００９】
又、筐体を閉じた状態において、バックライトの一部を点灯すべき場合もあれば、バックライトの一部を点灯すべきではない場合もある。
【００１０】
例えば、装置がメールの送受信等の動作を行っていないと共に相手側からの着信を待っている状態である、所謂待ちうけ状態においては、筐体を閉じた状態でバックライトを消灯してもユーザが困ることがない。なぜなら、このような待ち受け状態では、表示部にユーザが必要とする情報が表示されることがほとんどないからである。一方、メール送信操作の実行開始からメール送信完了のメッセージが表示されるまでの間のように、なんらかの動作の結果を表示する場合等においては、筐体を閉じた状態でバックライトを点灯しなければ、ユーザは表示部に表示されている動作の結果（例えば、メール送信完了のメッセージ等）を見ることができない。
【００１１】
このようなことから、待機中や何らかの動作（例えば、メール送信や電話帳検索等）の終了後に筐体を閉じるとバックライトを消灯させ、何らかの動作（例えばメール送信や電話帳検索）を実行している最中に筐体を閉じるとバックライトを点灯させる構成とすることが好ましい。このような構成とすることにより、真に必要とするときのみバックライトを点灯することが可能であり、携帯電話の限られたバッテリー電力を有効に活用することが可能である。
【００１２】
【課題を解決するための手段】
本発明はこのような問題を解決する為のものであり、請求項１記載の折畳式通信装置は、第１の筐体と、第２の筐体と、前記両筐体を開閉可能に軸支するヒンジとを有し、前記両筐体を開放したときに露出し、バックライトを有するメイン表示領域と、前記両筐体を閉結したときも露出し、バックライトを有するサブ表示領域を備えた折畳式携帯電話装置において、前記両筐体の開閉を検出する開閉検出部と、前記両筐体が閉結した際に待機中であると判定すると、前記サブ表示領域及び前記メイン表示領域のバックライトを消灯させ、一方、前記両筐体が閉結した際に待機中でないと判定すると、前記サブ表示領域のバックライトは点灯すると共に前記メイン表示領域のバックライトは消灯させる制御部とを有することを特徴とする。
【００１３】
請求項２記載の折畳式携帯電話装置は、第１の筐体と、第２の筐体と、前記両筐体を開閉可能に軸支するヒンジとを有し、前記両筐体を開放したときに露出し、バックライトを有するメイン表示領域と、前記両筐体を閉結したときも露出し、バックライトを有するサブ表示領域を備えた折畳式携帯電話装置において、前記両筐体の開閉を検出する開閉検出部と、前記両筐体が閉結した際にメール動作中であると判定すると、前記サブ表示領域のバックライトを点灯させると共に前記メイン表示領域のバックライトを消灯させ、一方、前記両筐体が閉結した際にメール動作中ではないと判定すると、前記サブ表示領域及び前記メイン表示領域のバックライトを消灯させる制御部とを有することを特徴とする。
【００１４】
請求項３記載の折畳式携帯電話装置は、請求項２記載の折畳式携帯電話装置であって、前記制御部は、前記両筐体が閉結した後にメール動作の終了指示があると判定すると、前記サブ表示領域のバックライトを消灯させることを特徴とする。
【００１５】
請求項４記載の折畳式携帯電話装置は、第１の筐体と、第２の筐体と、前記両筐体を開閉可能に軸支するヒンジとを有し、前記両筐体を開放したときに露出し、バックライトを有するメイン表示領域と、前記両筐体を閉結したときも露出し、バックライトを有するサブ表示領域を備えた折畳式携帯電話装置において、前記両筐体の開閉を検出する開閉検出部と、前記両筐体が閉結した際に電話帳機能動作中であると判定すると、前記サブ表示領域のバックライトを点灯させると共に前記メイン表示領域のバックライトを消灯させ、一方、前記両筐体が閉結した際に電話帳機能動作中ではないと判定すると、前記サブ表示領域及び前記メイン表示領域のバックライトを消灯させることを特徴とする。
【００１６】
請求項５記載の折畳式携帯電話装置は、請求項４記載の折畳式携帯電話装置であって、前記制御部は、前記両筐体が閉結した後に電話帳機能の終了指示があると判定すると、前記サブ表示領域のバックライトを消灯させることを特徴とする。
【００１７】
請求項６記載の折畳式携帯電話装置は、請求項１〜５記載の折畳式携帯電話装置であって、前記サブ表示領域は前記メイン表示領域の一部であることを特徴とする。
【００１８】
請求項７記載の折畳式携帯電話装置は、請求項１〜６記載の折畳式携帯電話装置であって、筐体を閉結したときに、筐体の開放時の内容を前記サブ表示領域に表示することを特徴とする。
【００１９】
【発明の実施の形態】
本発明の実施例を図面に基づき説明する。図１は第１の実施例の開いた状態を示す斜視図であり、図２は閉じた状態を示す斜視図である。本実施例の折畳式携帯電話装置は送話部（１）と受話部（２）が左右一対のヒンジ（３）（４）により回動可能に軸支される。図１に示す如く、受話部（１）はスピーカ（１１）、表示部（１２）と第１の入力部（１３）を有する。受話部（２）はマイクロホン（２１）、第２の入力部（２２）と左右一対のアーム（２３）（２４）を有する。
【００２０】
図１において、表示部（１２）の下方に第１の入力部（１３）が配設され、ヒンジ（３）（４）の回動軸は第１の入力部（１３）の中央より上方向に配設される。
【００２１】
左右のアーム（２３）（２４）は第２の入力部（２２）の左右から夫々左右のヒンジ（３）（４）に向かって延在し、延在した端がヒンジ（３）（４）の支点となる。送話部（２）の左右のアーム（２３）（２４）の間は空部（２５）となる。
【００２２】
図１に示すように、開いた状態で第１の入力部（１３）のヒンジ（３）（４）部より下の部分が空部（２５）に位置する。図２に示すように、閉じた状態で第１の入力部（１３）のヒンジ（３）（４）部より上の部分が空部（２５）に位置する。そして、ヒンジ（３）（４）の回動軸が第１の入力部（１３）の中央より上方向に配設される為に、閉じた状態で表示部（１２）の下部が露出する。
【００２３】
このような構成により、使用者は、閉じた時でも表示部（１２）の一部を見ることができ、且つ、第１の入力部（１３）の操作が可能となる。
【００２４】
図３は実施例の要部の構成を示すブロック図である。図３において、（Ｂ１）は電話通信部であり、後述のベースバンド部（Ｂ３）からの信号をアンテナ（Ｂ２）を介して基地局へ発信したり、アンテナ（Ｂ２）を介して基地局からの電波を受信したりする。
【００２５】
（Ｂ３）はベースバンド部であり、ＣＤＭＡ処理回路（Ｂ１）と音声コーデック（Ｂ２）を有する。ＣＤＭＡ処理回路（Ｂ３１）は符号分割多元接続、スクランブル、誤り制御、タイミング検出を行う。音声コーデック（Ｂ３２）は音声を圧縮（符号化）・伸張（復号化）したり、アナログとディジタルの変換を行ったり、内部の増幅回路（図示せず）により受話音量やマイクロホンの感度を変更する。
【００２６】
（１１）は耳にあてて通話に使用されるスピーカであり、増幅回路（Ｂ４）で増幅されたベースバンド部（Ｂ３）の電気信号を音声に変換する。（２１）は通話に使用されるマイクロホンであり、音声を電気信号に変換する。（Ｂ５）は増幅回路であり、マイクロホン（２１）の出力を増幅してベースバンド部（Ｂ３）に出力する。
【００２７】
（２６）（２７）は受話音を周囲の人にも聞かせるための拡声用のスピーカであり、図２に示す如く、送信部（２）の背面の左右に配設される。このスピーカ（２６）（２７）は夫々の増幅回路（Ｂ６）（Ｂ７）で増幅されたベースバンド部（Ｂ３）の電気信号を音声に変換する。また、スピーカ（２６）（２７）は着信報知の鳴動も行う。
【００２８】
（Ｂ８）は切替回路であり、４つの夫々の増幅回路（Ｂ４）（Ｂ５）（Ｂ６）（Ｂ７）とベースバンド部（Ｂ３）との接続を後述の制御回路（Ｂ９）の制御によりＯＮ／ＯＦＦする。尚、これら３つの増幅回路（Ｂ４）（Ｂ５）（Ｂ６）（Ｂ７）はゲインを固定しており、受話音量やマイクロホンの感度を変更することはできない。受話音量やマイクロホンの感度の変更は制御回路（Ｂ９）の制御によりベースバンド部（Ｂ３）の音声コーデック（Ｂ３２）が行う。
【００２９】
（Ｂ９）はマイクロプロセッサからなる制御回路であり、動作のプログラムを記憶したＲＯＭ（Ｂ１０）に基づき各部を制御する。（Ｂ１１）はＲＡＭであり、制御回路（Ｂ９）の動作に必要な情報を記憶する。
【００３０】
表示部（１２）はバックライトを有する液晶であり、電話番号等を表示する。バックライトの光源は複数のＬＥＤであり、図示しないが、図１の状態で縦方向に一列に配設される。本発明は閉じた状態でも表示部（１２）の一部は見ることができるため、閉じたときに露出する部分に対応するバックライトのＬＥＤを点灯させ、露出しないＬＥＤは点灯させないようにすることができる。
【００３１】
閉じた状態でも入力可能な第１の入力部（１３）は通話の開始を操作する通話キー（１３１）、通話の終了を操作する終話キー（１３２）、電話帳の操作を行う電話帳キー（１３３）、メールの操作を行うメールキー（１３４）とカーソル移動の操作や設定操作を行うカーソル／設定キー（１３５）を有する。開いた状態でのみ入力可能な第２の入力部（２２）は電話番号の入力等を行うテンキー（２２１）を有する。
【００３２】
（Ｂ１２）は受信部（１）と送信部（２）の開閉を検出する開閉検出スイッチ（Ｂ１２）である。開閉検出スイッチ（Ｂ１２）は受信部（１）の孔（図１の１４）を塞ぐ位置に配設され、閉じられた時は送信部（２）のアーム（２４）に設けられた凸部（２５）により押されてＯＮになる。
【００３３】
（Ｂ１３）は撮像するカメラ（図示せず）であり、表示部（１２）の背面に配設され、スライド方式のレンズカバー（図示せず）を有する。（１５）はレンズカバー／電源キーであり、電源のＯＮ／ＯＦＦ操作とカメラのレンズの開閉操作を行う。レンズカバー／電源キー（１５）は受話部（１）の側面に配設され、閉じた時でも操作することができる。また、その操作はプッシュ式でなくスライド方式であるために、スライド方式のレンズカバーをスライドさせる機構の構成が容易であり、且つ、ポケットなどに携帯電話装置が入れられたときに、誤って電源がＯＮになり難い。また、本発明は閉じた状態でも表示部（１２）の一部は見ることができるため、閉じた状態でレンズカバー／電源キー（１５）をＯＮにすると、電源がＯＮになると共にレンズカバーが開き、表示部（１２）の露出している部分のバックライトが点灯する。ここで、カーソル／設定キー（１３５）を操作すればカメラの撮像が可能となる。
【００３４】
図４は本実施例装置の動作を示すフロー図である。
【００３５】
Ｓ１ステップにおいて、制御回路（Ｂ９）は、開閉検出スイッチ（Ｂ１２）から筐体が開かれたことを示す信号を検出するとＳ２ステップへ処理を進める。
【００３６】
Ｓ２ステップでは、制御回路（Ｂ９）は、現在メール動作中であると判定するとＳ４ステップへ処理を進め、そうでなければＳ３ステップへ処理を進める。
【００３７】
尚、前記Ｓ２ステップにおいてメール動作中とは、例えば、メール文章の作成中、メールの送信動作中などを示しており、表示部（１２）には、例えば図５（ａ）に示すように「メール送信中」と表示されると共に、表示部（１２）の領域Ａと領域Ｂの両方の領域のバックライト用のＬＥＤが点灯する。
【００３８】
Ｓ３ステップでは、制御回路（Ｂ９）は、表示部（１２）の領域Ａ及びＢのバックライトを全て消灯させ、処理を終了する。
【００３９】
Ｓ４ステップでは、制御回路（Ｂ９）は、表示部（１２）を制御することにより表示部（１２）のバックライトの一部のみを点灯させる。具体的には、制御回路（Ｂ９）は、図５（ｂ）に示すように表示部（１２）の領域Ｂに「メール送信中」と表示させると共にＢの領域のバックライト用ＬＥＤのみ点灯させ、領域Ａのバックライトは消灯させる。
【００４０】
尚、この時、筐体は図２に示すように閉じた状態となっているが、表示部（１２）のＢの領域のみユーザが見えることが可能である。又、図２に示すように受話部（２）によって見えない表示部（１２）の領域、即ち、領域Ａは、バックライトが消灯した状態となっているため無駄な消費電力を抑えることが可能である。
【００４１】
Ｓ５ステップでは、制御回路Ｂ９は、第１の入力部（１３）からメール終了を指示する操作があると判定するとＳ６ステップへ処理を進め、そうでなければＳ８ステップへ処理を進める。
【００４２】
Ｓ６ステップでは、制御回路Ｂ９は、メール動作を終了し、Ｓ７ステップへ処理を進める。
【００４３】
Ｓ７ステップでは、制御回路Ｂ９は、表示部（１２）を制御することにより表示部（１２）の領域Ｂのバックライトを消灯させ、処理を終了する。
【００４４】
このように、メール送信中に筐体を閉じると（Ｓ１、Ｓ２ステップ）、表示部（１２）の領域Ｂだけバックライトが点灯されると共に領域Ｂに「メール送信中」と表示される（Ｓ４ステップ）。続いて、メール送信が終了し、ユーザが表示部（１２）に表示されている例えば「メール送信しました。」というメッセージを見ることによりメール送信完了を認識し、ユーザがメール終了操作を行うと表示部（１２）のバックライトが消灯される（Ｓ５〜Ｓ７ステップ）為、筐体を閉じた後の本当にバックライトの点灯が必要な時のみバックライトを点灯することが可能である。
【００４５】
Ｓ８ステップでは、制御回路（Ｂ９）は、開閉検出スイッチ（Ｂ１２）から筐体が開かれたことを示す信号を検出したと判定するとＳ９ステップへ処理を進め、そうでなければＳ４ステップへ処理を戻す。
【００４６】
Ｓ９ステップでは、制御回路（Ｂ９）は、表示部（１２）を制御することにより表示部（１２）の領域Ａと領域Ｂの全ての領域のバックライトを点灯させ、Ｓ１０ステップへ処理を進める。
【００４７】
Ｓ１０ステップでは、制御回路Ｂ９は、第１の入力部（１３）からメール終了を指示する操作があると判定するとＳ６ステップへ処理を進め、そうでなければＳ１ステップへ処理を戻す。
【００４８】
このように本実施例装置では、先ず、筐体を閉じた際にメール動作中でなければ表示部（１２）のバックライトを全て消灯させる構成としている。このような構成としているのは、メール動作中以外の状態（例えば、待機状態）において、筐体を閉じた後に表示部（１２）に何かを表示させる必要がないからであり、このような構成とすることにより消費電力を少なくすることが可能である。
【００４９】
一方、筐体を閉じた際にメール動作中であれば表示部（１２）のバックライトの一部を点灯させると共に、バックライトを点灯させている領域に現在の動作状態を示すメッセージ（例えば、「メール送信中」）を表示している。このような構成とすることにより、筐体を閉じた後でもユーザに今の動作状態を報知することが可能であるだけでなく、バックライトの消費電力をできるだけ少なくすることが可能である。
【００５０】
又、筐体を閉じると共にバックライトの一部を点灯させた状態で、メール動作の終了指示があると、バックライトを全て消灯している。このような構成としているのは、メール動作終了後に待機状態に入った場合、表示部（１２）には装置の動作状態を示すメッセージ等を表示させる必要がないからであり、このような構成とすることにより、無駄な電力が消費されることを回避することが可能である。
【００５１】
尚、本実施例では、Ｓ２ステップにおいて、筐体を閉じた際にメール動作中であるか否かを判定しているが、筐体を閉じた際に電話帳データの閲覧や修正、登録等の動作を行っているか否かを判定したり、筐体を閉じた際に、インターネットと接続しているか否かを判定する構成としても良い。
【００５２】
また、上記Ｓ５ステップでメール終了操作により領域Ｂのバックライトを消灯させたが、メール送信完了の検出により自動的にバックライトを消灯する構成としてもよい。
【００５３】
更に、本実施例では、筐体を閉じた際に表示する表示部は開いたときに表示する表示部の一部であったが、閉じた際に表示する表示部（サブ表示部）を開いた時に表示する表示部（メイン表示部）と別体の折畳式携帯電話装置に適用することができる。
【００５４】
【発明の効果】
上述の如く、本発明は、バックライトで無駄な電力が消費されることを回避することが可能である。
【図面の簡単な説明】
【図１】本発明を適用してなる実施例装置の開いた状態を示す斜視図である。
【図２】本発明を適用してなる実施例装置の閉じた状態を示す斜視図である。
【図３】本実施例装置のブロック図である。
【図４】本実施例装置の動作を示すフロー図である。
【図５】本実施例装置の表示部の表示形態を示す図である
【符号の説明】
１  送話部
２  受話部
１２  表示部
１３  第１の入力部
Ｂ９  制御回路
Ｂ１２  開閉検出スイッチ
【図１】
2004312631.tif 000003
【図２】
2004312631.tif 000004
【図３】
2004312631.tif 000005
【図４】
2004312631.tif 000006
【図５】
2004312631.tif 000007